(57)【要約】【課題】保護素子が、隣り合う筒部の外周面によって挟まれる領域から突出するのを抑制する。【解決手段】ホルダ４０は、素電池（１０、２０）を並列に配置させた状態で固定する。ホルダ４０は、円筒の形状を有し、互いに平行な中心軸（４１ｂ，４２ｂ）をそれぞれ有し、外接するよう並列に配置され、素電池（１０，２０）がそれぞれ嵌め込まれる筒部（４１，４２）と、筒部（４１，４２）を結合し、筒部（４１，４２）の内側の空間を仕切る仕切り部（４３）と、仕切り部（４３）から筒部（４１，４２）の中心軸（４１ｂ，４２ｂ）に平行な方向に延出した突片部と、を備え、中心軸（４１ｂ，４２ｂ）の間の距離が素電池（１０，２０）の半径の和よりも大きく、筒部（４１，４２）の外側且つ筒部（４１，４２）の外周面によって挟まれる領域において、凹面（４４）が仕切り部（４３）の表面に形成され、突片部（４６）が凹面（４４）と連続するよう凹状に形成された面を有する。【選択図】図１
2019139927.tif 000002
【特許請求の範囲】
【請求項１】
円柱形の複数の素電池を並列に配置させた状態で固定するホルダであって、
円筒の形状を有し、互いに平行な中心軸をそれぞれ有し、外接するよう並列に配置され、前記複数の素電池がそれぞれ嵌め込まれる複数の筒部と、
前記複数の筒部の隣り同士を結合し、前記複数の筒部の隣り同士の内側の空間を仕切る仕切り部と、
前記仕切り部から前記複数の筒部の隣り同士の前記中心軸に平行な方向に延出した突片部と、を備え、
前記複数の筒部の隣り同士の中心軸の間の距離が前記複数の素電池の隣り同士の半径の和よりも大きく、
前記複数の筒部の隣り同士の外側且つ前記複数の筒部の隣り同士の外周面によって挟まれる領域において、凹面が前記仕切り部の表面に形成され、
前記突片部が、前記凹面と連続するよう凹状に形成された面を有する
ホルダ。
【請求項２】
請求項１に記載のホルダと、前記複数の素電池と、保護素子と、を備える組電池であって、
前記複数の素電池が前記複数の筒部にそれぞれ嵌め込まれ、
前記保護素子が前記突片部の前記凹状に形成された面に配置されている
組電池。
【請求項３】
前記保護素子が、前記複数の筒部の隣り同士の外周面と、前記複数の筒部の隣り同士の外周面に共通した接平面と、前記凹面とによって囲われる領域内に配置されている
請求項２に記載の組電池。
【発明の詳細な説明】
【技術分野】
【０００１】
本発明は、複数の素電池を並列に配置した状態で固定するホルダに関するとともに、複数の素電池とホルダとを備える組電池に関する。
【背景技術】
【０００２】
特許文献１には、円柱形の複数の素電池がホルダによって並列に配列された状態で固定される技術が開示されている。各素電池は、並列された円筒状の胴部にそれぞれ嵌め込まれている。隣り合う胴部の内部空間同士が連なっており、隣り合う素電池が接触している。各素電池の正極と負極の端子間には、過放電を防止するための保護素子が接続されている。保護素子は、隣り合う胴部の外側且つこれら胴部の外周面によって挟まれる領域に配置されている。
【先行技術文献】
【特許文献】
【０００３】
【特許文献１】特開２０１７−７３３２６号公報
【発明の概要】
【発明が解決しようとする課題】
【０００４】
ところで、保護素子の直径が大きいと、保護素子が、隣り合う胴部の外側且つこれら胴部の外周面によって挟まれる領域から突出してしまう。つまり、保護素子は、隣り合う胴部の共通接平面から外側にはみ出てしまう。
そこで、本発明の目的は、そのような保護素子の突出を抑えることである。
【課題を解決するための手段】
【０００５】
上記課題を解決するために、円柱形の複数の素電池を並列に配置させた状態で固定するホルダは、円筒の形状を有し、互いに平行な中心軸をそれぞれ有し、外接するよう並列に配置され、前記複数の素電池がそれぞれ嵌め込まれる複数の筒部と、前記複数の筒部の隣り同士を結合し、前記複数の筒部の隣り同士の内側の空間を仕切る仕切り部と、前記仕切り部から前記複数の筒部の隣り同士の前記中心軸に平行な方向に延出した突片部と、を備え、前記複数の筒部の隣り同士の中心軸の間の距離が前記複数の素電池の隣り同士の半径の和よりも大きく、前記複数の筒部の隣り同士の外側且つ前記複数の筒部の隣り同士の外周面によって挟まれる領域において、凹面が前記仕切り部の表面に形成され、前記突片部が、前記凹面と連続するよう凹状に形成された面を有する。
【０００６】
組電池は、前記ホルダと、前記複数の素電池と、保護素子と、を備える組電池であって、前記複数の素電池が前記複数の筒部にそれぞれ嵌め込まれ、前記保護素子が前記突片部の前記凹状に形成された面に配置されている。
前記保護素子が、前記複数の筒部の隣り同士の外周面と、前記複数の筒部の隣り同士の外周面に共通した接平面と、前記凹面とによって囲われる領域内に配置されている。
【発明の効果】
【０００７】
本発明の実施形態によれば、隣り合う素電池の間には隙間が形成される。それゆえ、凹面と連続するよう凹状に形成された面及び前記凹面は深く形成される。従って、保護素子の径が大きくても、保護素子の突出量が抑制される。
【図面の簡単な説明】
【０００８】
【図１】組電池の斜視図である。
【図２】組電池の背面図である。
【図３】組電池の側面図である。
【図４】組電池の平面図である。
【図５】ロアホルダの斜視図である。
【図６】ロアホルダの背面図である。
【図７】ロアホルダの側面図である。
【図８】ロアホルダの平面図である。
【図９】アッパーホルダの斜視図である。
【発明を実施するための形態】
【０００９】
以下、図面を参照して、本発明の実施形態について説明する。但し、以下に述べる実施形態には、本発明を実施するために技術的に好ましい種々の限定が付されている。本発明の範囲を以下の実施形態及び図示例に限定するものではない。
【００１０】
図１は、組電池１をその上方、前方且つ右方から見て示した斜視図である。図２は、組電池１をその後方から見て示した背面図である。図３は、組電池１をその右方から見て示した側面図である。図４は、組電池１をその上方から見て示した平面図である。図面には、前後上下左右の方向を表す矢印が図示されている。上下方向は必ずしも鉛直方向をいうものではない。
【００１１】
組電池１は、第１の素電池１０、第２の素電池２０、ロアホルダ４０、アッパーホルダ６０、第１の保護素子８０及び第２の保護素子９０を備える。
素電池（１０、２０）は円柱形に形作られている。ホルダ（４０、６０）は、素電池（１０、２０）を並列配置させた状態でこれら素電池（１０、２０）を固定する。第１の保護素子８０がホルダ（４０、６０）の前面に組み付けられ、第１の素電池１０が第１の保護素子８０によって過放電から保護される。第２の保護素子９０がホルダ（４０、６０）の後面に組み付けられ、第２の素電池２０が第２の保護素子９０によって過放電から保護される。以下、素電池（１０、２０）、ホルダ（４０、６０）及び保護素子（８０、９０）について詳細に説明する。
【００１２】
第１の素電池１０の上端面に電極端子１１が設けられ、下端面にも電極端子が設けられている。第２の素電池２０の上端面に電極端子２１が設けられ、下端面にも電極端子が設けられている。第１の素電池１０と第２の素電池２０が左右並列に配置されており、第１の素電池１０の中心軸１３と第２の素電池２０の中心軸２３が互いに平行であり、中心軸（１３、２３）が上下に延びる。第１の素電池１０の電極端子１１と第２の素電池２０の電極端子２１が同一の方向、つまり上方に向けられ、且つ反対側の電極端子が同一の方向、つまり下方に向けられている。第１の素電池１０の半径と第２の素電池２０の半径が等しく、中心軸１３方向の第１の素電池１０の長さと中心軸２３方向の第２の素電池２０の長さが等しい。
【００１３】
第１の素電池１０と第２の素電池２０が電気的に直列接続されている場合、第１の素電池１０の電極端子１１と素電池２０の電極端子２１が異なる極であり、これら電極端子（１１、２１）が導電性の接続用タブ３０によって導電しているが、反対側の電極端子同士は導電していない。第１の素電池１０と第２の素電池２０が電気的に並列接続されている場合、第１の素電池１０の電極端子１１と素電池２０の電極端子２１が同じ極であり、これら電極端子（１１、２１）が接続用タブ３０によって導電しており、反対側の電極端子同士も導電性の接続用タブによって導電している。なお、接続用タブ３０は後述のタブ（８５、９５）に抵抗溶接されている。
【００１４】
図５は、ロアホルダ４０をその上方、前方且つ右方から見て示した斜視図である。図６は、ロアホルダ４０をその後方から見て示した背面図である。図７は、ロアホルダ４０をその右方から見て示した側面図である。図８は、ロアホルダ４０をその上方から見て示した平面図である。
【００１５】
ロアホルダ４０は、円筒形状の第１及び第２の筒部（４１、４２）と、第１の筒部４１と第２の筒部４２を結合する仕切り部４３と、仕切り部４３から筒部（４１、４２）の中心軸（４１ｂ、４２ｂ）と平行な方向に延出する突片部（４６、４７）と、第１の筒部４１の内側に設けられた第１エンドプレート５１と、第２の筒部４２の内側に設けられた第２エンドプレート５２と、を備える。筒部（４１、４２）と仕切り部４３と突片部（４６、４７）とエンドプレート（５１、５２）は絶縁性樹脂材料からなる。筒部（４１、４２）と仕切り部４３と突片部（４６、４７）とエンドプレート（５１、５２）が一体成形されている。
【００１６】
第１の筒部４１の内径が第２の筒部４２の内径に等しく、第１の筒部４１の外径が第２の筒部４２の外径に等しい。第１の筒部４１と第２の筒部４２が外接するように並列されており、第１の筒部４１と第２の筒部４２との間には仕切り部４３が設けられている。仕切り部４３は第１の筒部４１の内側の空間４１ａと第２の筒部４２の内側の空間４２ａを仕切る。仕切り部４３の上面には、凹部４３ａが形成されている。第１の筒部４１の中心軸４１ｂと第２の筒部４２の中心軸４２ｂが互いに平行である。中心軸（４１ｂ、４２ｂ）は上下方向に延びている。第１の筒部４１の中心軸４１ｂと第２の筒部４２の中心軸４２ｂとの間の距離Ｄは第１の素電池１０の半径と第２の素電池２０の半径との和よりも大きい。
【００１７】
第１の筒部４１と第２の筒部４２の外側且つこれら筒部（４１、４２）の外周面の間に挟まれる領域において、凹面（４４、４５）が仕切り部４３の前側表面と後ろ側表面にそれぞれ形成されている。凹面４４がシリンドリカル凹面状に形成されていて、凹面４４が第１の筒部４１の前側外周面から第２の筒部４２の前側外周面までの間の表面を滑らかに連続させている。凹面４５がシリンドリカル凹面状に形成されていて、凹面４５が第１の筒部４１の後ろ側外周面から第２の筒部４２の後ろ側外周面までの間の表面を滑らかに連続させている。
【００１８】
突片部４６は、仕切り部４３の上面の前縁から、筒部（４１、４２）の中心軸（４１ｂ、４２ｂ）と平行な方向に延出している。突片部４７は、仕切り部４３の上面の後縁から、筒部（４１、４２）の中心軸（４１ｂ、４２ｂ）と平行な方向に延出している。突片部４６と突片部４７は前後に並んで配置されている。突片部４６は半円柱面状に形成されており、突片部４６の前面が、凹面４４から上方に凹面４４と連続するようシリンドリカル凹面状に形成されている。突片部４７は半円柱面状に形成されており、突片部４７の前面が、凹面４５から上方に凹面４５と連続するようシリンドリカル凹面状に形成されている。
【００１９】
突片部（４６、４７）の互いに対向する面には、リブ（４８、４９）がそれぞれ形成されている。リブ（４８、４９）は、仕切り部４３の上面から突片部（４６、４７）の先端にまで、筒部（４１、４２）の中心軸（４１ｂ、４２ｂ）と平行な方向に延びている。突片部（４６、４７）はそれぞれリブ（４８、４９）によって補強されている。
【００２０】
突片部４６の前面が段状に形成されている。つまり、突片部４６の先端側の部位４６ａの前面が基端側の部位４６ｂの前面に対して凹状になっており、先端側の部位４６ａが基端側の部位４６ｂよりも薄い。同様にして、突片部４７の後面も段状に形成されており、突片部４７の先端側の部位４７ａの後面が基端側の部位４７ｂの後面に対して凹状になっている。
【００２１】
第１エンドプレート５１は、第１の筒部４１の下端から第１の筒部４１の内側に延出していて、リング状に形成されている。第１エンドプレート５１の中央には、円形の開口５３が形成されている。第２エンドプレート５２は、第２の筒部４２の下端から第２の筒部４２の内側に延出していて、リング状に形成されている。第２エンドプレート５２の中央には、円形の開口５４が形成されている。第１エンドプレート５１及び第２エンドプレート５２は、筒部（４１、４２）の中心軸（４１ｂ、４２ｂ）に直交する面に沿って面一となっている。
【００２２】
図９は、アッパーホルダ６０をその下方、前方且つ右方から見て示した斜視図である。アッパーホルダ６０の形状はロアホルダ４０を上下反転させた形状と同一である。アッパーホルダ６０の各構成要素は以下のようにロアホルダ４０の各構成要素に対応する。
【００２３】
（１）  第１の筒部６１は、第１の筒部４１に相当する。
（２）  第１の筒部６１内の空間６１ａは、第１の筒部４１内の空間４１ａに相当する。
（３）  第２の筒部６２は、第２の筒部４２に相当する。
（４）  第２の筒部６２内の空間６２ａは、第２の筒部４２内の空間４２ａに相当する。
（５）  仕切り部６３は、仕切り部４３に相当する。
（６）  仕切り部６３の前側凹面６４は、凹面４４に相当する。
（７）  仕切り部６３の後ろ側凹面６５は、凹面４５に相当する。図９において、凹面６５が仕切り部６３の裏に隠れて見えないが、図２及び図４において、凹面６５が図示されている。
（８）  仕切り部６３の下面から延出した突片部６６は、突片部４６に相当する。
（９）  仕切り部６３の下面から延出した突片部６７は、突片部４７に相当する。
（１０）  突片部６６の後面に形成されたリブ６８は、リブ４８に相当する。
（１１）  突片部６７の後面に形成されたリブ６９は、リブ４９に相当する。
（１２）  第１の筒部６１の内側に設けられた第１エンドプレート７１は、第１エンドプレート５１に相当する。
（１３）  第１エンドプレート７１の中央に形成された開口７３は、開口５３に相当する。
（１４）  第２の筒部６２の内側に設けられた第２エンドプレート７２は、第２エンドプレート５２に相当する。
（１５）  第２エンドプレート７２の中央に形成された開口７４は、開口５４に相当する。
【００２４】
素電池（１０、２０）は以下のようにしてホルダ（４０、６０）に固定されている。
図１〜図４に示すように、ロアホルダ４０とアッパーホルダ６０が上下に配置されている。具体的には、第１の筒部４１が第１の筒部６１から下に離間して、これら筒部（４１、６１）が並列されており、第１の筒部４１と第１の筒部６１が同軸状に配置されている。第２の筒部４２と第２の筒部６２についても同様である。また、第１エンドプレート５１と第１エンドプレート７１が上下に互いに対向し、第２エンドプレート５２と第２エンドプレート７２が上下に互いに対向する。突片部４６の先端と突片部６６の先端が互いに突き当てられており、突片部４７の先端と突片部６７の先端が互いに突き当てられている。
【００２５】
第１の素電池１０の下部がロアホルダ４０の第１の筒部４１に嵌め込まれ、第１の素電池１０と第１の筒部４１が同軸状に配置されている。第１の素電池１０の下端面が第１エンドプレート５１に当接し、その下端面の電極端子が開口５３から露出している。
第１の素電池１０の上部がアッパーホルダ６０の第１の筒部６１に嵌め込まれ、第１の素電池１０と第１の筒部６１が同軸状に配置されている。第１の素電池１０の上端面が第１エンドプレート７１に当接し、その上端面の電極端子１１が開口７３から露出している。
【００２６】
第２の素電池２０の下部がロアホルダ４０の第２の筒部４２に嵌め込まれ、第２の素電池２０と第２の筒部４２が同軸状に配置されている。第２の素電池２０の下端面が第２エンドプレート５２に当接し、その下端面の電極端子が開口５４から露出している。
第２の素電池２０の上部がアッパーホルダ６０の第２の筒部６２に嵌め込まれ、第２の素電池２０と第２の筒部６２が同軸状に配置されている。第２の素電池２０の上端面が第２エンドプレート７２に当接し、その上端面の電極端子２１が開口７４から露出している。
【００２７】
以上のように第１の素電池１０がホルダ（４０、６０）の第１の筒部（４１、６１）に嵌め込まれ、第２の素電池２０がホルダ（４０、６０）の第２の筒部（４２、６２）に嵌め込まれることによって、素電池（１０、２０）が並列に配置される。第１の筒部４１の中心軸４１ｂと第２の筒部４２の中心軸４２ｂとの間の距離Ｄは第１の素電池１０の半径と第２の素電池２０の半径との和よりも大きい上、仕切り部４３が第１の筒部４１の内側の空間４１ａと第２の筒部４２の内側の空間４２ａを仕切っているため、第１の素電池１０と第２の素電池２０との間には隙間が形成される。
【００２８】
突片部（４６、４６）が、素電池（１０、２０）の前において、素電池（１０、２０）の外周面によって凹状になった領域に配置される。第１の素電池１０と第２の素電池２０との間に隙間が形成されているため、突片部（４６、４６）の前側のシリンドリカル凹面の曲率半径を大きくすることができるとともに、そのシリンドリカル凹面を後ろへ深く形成することできる。
【００２９】
突片部（４７、６７）が、素電池（１０、２０）の後ろにおいて、素電池（１０、２０）の外周面によって挟まれることによって凹状になった領域に配置される。突片部（４７、６７）の後ろ側のシリンドリカル凹面の曲率半径を大きくすることができるとともに、そのシリンドリカル凹面を前へ深く形成することができる。
【００３０】
第１の保護素子８０はアキシャル部品である。第１の保護素子８０は、ダイオード、ＰＴＣサーミスタ、ヒューズ又は遮断器等の保護素子本体８１と、保護素子本体８１の両端から互いに反対方向に延び出るリード線（８２、８３）とを有する。第２の保護素子９０も第１の保護素子８０と同様にアキシャル部品であり、保護素子本体９１及びリード線（９２、９３）を有する。
【００３１】
第１の保護素子８０は突片部（４６、６６）の前側のシリンドリカル凹面の前に配されている。保護素子本体８１の中心軸が突片部（４６、６６）の延出方向、つまり上下方向に延びている。リード線（８２、８３）は突片部（４６、６６）の延出方向、つまり上下方向に延びている。
第１の保護素子８０は、筒部（４１、４２）の前側外周面と、筒部（４１、４２）の外周面の前側の共通接平面１０１（図４参照）と、凹面４４とによって囲われた領域内に配置されている。筒部（４１、４２）の中心軸（４１ｂ、４２ｂ）を通る平面１０３から凹面６４までの距離Ｄ１と、保護素子本体８１の直径との和は、筒部（４１、４２）の外周面の半径よりも小さい。
保護素子本体８１は突片部（４６、６６）の先端側部位（４６ａ、６６ａ）の前面に接するよう配置されることで、保護素子本体８１の前方への突出量が抑制されている。特に、保護素子本体８１は、筒部（４１、４２、６１、６２）の外周面の前側の共通接平面１０１よりも前方にはみ出ていない。
【００３２】
第２の保護素子９０は突片部（４７、６７）の後ろ側のシリンドリカル凹面の後ろに配置されている。保護素子本体９１の中心軸が突片部（４７、６７）の延出方向、つまり上下方向に延びている。リード線（９２、９３）は突片部（４７、６７）の延出方向、つまり上下方向に延びている。
第２の保護素子９０は、筒部（４１、４２）の後ろ側外周面と、筒部（４１、４２）の外周面の後ろ側の共通接平面１０２（図４参照）と、凹面４５とによって囲われた領域内に配置されている。筒部（４１、４２）の中心軸（４１ｂ、４２ｂ）を通る平面１０３から凹面６５までの距離Ｄ２と、保護素子本体９１の直径との和は、筒部（４１、４２）の外周面の半径よりも小さい。
保護素子本体９１は突片部（４７、６７）の先端側部位（４７ａ、６７ａ）の後面に接するよう配置されることで、保護素子本体９１の後方への突出量が抑制されている。特に、保護素子本体９１は、筒部（４１、４２、６１、６２）の外周面の後ろ側の共通接平面１０２（図４参照）よりも後方にはみ出ていない。
【００３３】
第１の保護素子８０のリード線８３が導電性のタブ８５によって第１の素電池１０の電極端子１１に導電している。ここで、タブ８５は第１エンドプレート７１の開口７３を部分的に塞ぐようにして第１エンドプレート７１の上面に貼着され、第１の素電池１０の電極端子１１が開口７３を通じてタブ８５に接触する。タブ８５は小片８６を有する。その小片８６は、第１エンドプレート７１の上面に沿って、タブ８５の中央から、第１の筒部６１と第２の筒部６２の前側において筒部（６１、６２）の外周面によって挟まれる領域に向かって延長する。その小片８６は第１エンドプレート７１の上面の外縁において下に屈曲して、突片部６６の前側のシリンドリカル凹面及び凹面６４の前に配される。そして、第１の保護素子８０のリード線８３が小片８６にはんだ付けされることによって、リード線８３が第１の素電池１０の電極端子１１に導電している。以上のようにタブ８５がアッパーホルダ６０に取り付けられるのと同様にして、導電性のタブ８７がロアホルダ４０に取り付けられている。第１の保護素子８０のリード線８２もリード線８３と同様にして、タブ８７の小片８８にはんだ付けされて、そのリード線８２がタブ８７によって第１の素電池１０の下端面の電極端子に導電している。
【００３４】
第２の保護素子９０のリード線９３が導電性のタブ９５によって第２の素電池２０の電極端子１１に導電している。ここで、タブ９５は第２エンドプレート７２の開口７４を部分的に塞ぐようにして第２エンドプレート７２の上面に貼着され、第２の素電池２０の電極端子２１が開口７４を通じてタブ９５に接触する。タブ９５は小片９６を有する。その小片９６は、第２エンドプレート７２の上面に沿って、タブ９５の中央から、第１の筒部６１と第２の筒部６２の後ろ側において筒部（６１、６２）の外周面によって挟まれる領域に向かって延長する。その小片９６は第２エンドプレート７２の上面の外縁において下に屈曲して、突片部６７の後ろ側のシリンドリカル凹面及び凹面６５の後ろに配される。そして、第２の保護素子９０のリード線９３が小片９６にはんだ付け又は抵抗溶接されることによって、リード線９３が第２の素電池２０の電極端子２１に導電している。以上のようにタブ９５がアッパーホルダ６０に取り付けられるのと同様にして、導電性のタブ９７がロアホルダ４０に取り付けられている。第２の保護素子９０のリード線９２もリード線９３と同様にして、そのタブの小片にはんだ付け又は抵抗溶接されて、そのリード線がそのタブによって第２の素電池２０の下端面の電極端子に導電している。
【００３５】
以上のように、第１の筒部４１の中心軸４１ｂと第２の筒部４２の中心軸４２ｂとの間の距離Ｄは第１の素電池１０の半径と第２の素電池２０の半径との和よりも大きい上、仕切り部４３が第１の筒部４１の内側の空間４１ａと第２の筒部４２の内側の空間４２ａを仕切っている。そのため、第１の素電池１０と第２の素電池２０との間には隙間が形成される。それゆえ、突片部（４６、６６）の前側のシリンドリカル凹面及び凹面６４の曲率半径を大きくすることができるとともに、そのシリンドリカル凹面及び凹面６４を後ろに深く形成することができる。従って、保護素子８０の本体８１の半径が大きくても、本体８１の前方への突出量が抑制される。同様に、保護素子９０の本体９１の半径が大きくても、その本体９１の後方への突出量が抑制される。
【００３６】
なお、上記実施形態では、ホルダ（４０，６０）が２体の素電池（１０，２０）を並列に固定したが、上下一対のホルダが３体以上の素電池を並列に固定してもよい。この場合、各ホルダは素電池の本数と同数の筒部を有する。これら筒部が外接するよう並列に配置され、これらの筒部の中心軸が互いに平行に設けられ、素電池の上部がアッパーホルダの筒部にそれぞれ嵌め込まれ、素電池の下部がロアホルダの筒部にそれぞれ嵌め込まれている。そして、隣り合う筒部の中心軸の間の距離は、隣り合う素電池の半径の和よりも大きい。上述の筒部（４１，４２）及び仕切り部（４３）と同様に、隣り合う筒部が仕切り部によって結合され、隣り合う筒部の内側の空間が仕切り部によって仕切られている。仕切り部（４３）に形成された凹面（４４，４５）と同様に、シリンドリカル凹面が隣り合う筒部の外側且つこれら筒部の外周面の間に挟まれる領域において、仕切り部の前側表面と後ろ側表面にそれぞれ形成されている。また、突片部（４５，４７）と同様に、前後一対の突片部が各仕切り部から隣り合う筒部の中心軸と平行な方向に延出し、前側の突片部の前面が仕切り部の前側のシリンドリカル凹面と連続するようシリンドリカル凹面状に形成され、後ろ側の突片部の後面が仕切り部の後ろ側のシリンドリカル凹面と連続するようシリンドリカル凹面状に形成されている。そして、保護素子８０と同様に、前側の保護素子が、隣り合う筒部の外周面と、隣り合う筒部の外周面に共通した前側の接平面と、仕切り部の前側のシリンドリカル凹面とによって囲われる領域内に配置されている。保護素子９０と同様に、後ろ側の保護素子が、隣り合う筒部の外周面と、隣り合う筒部の外周面に共通した後ろ側の接平面と、仕切り部の後ろ側のシリンドリカル凹面とによって囲われる領域内に配置されている。
【符号の説明】
【００３７】
１…組電池
１０…第１の素電池
２０…第２の素電池
４０，６０…ホルダ
４１，６１…第１の筒部
４２，６２…第２の筒部
４３，６３…仕切り部
４４，４５，６４，６５…凹面
４６，４７，６６，６７…突片部
８０，９０…保護素子
【図１】
2019139927.tif 000003
【図２】
2019139927.tif 000004
【図３】
2019139927.tif 000005
【図４】
2019139927.tif 000006
【図５】
2019139927.tif 000007
【図６】
2019139927.tif 000008
【図７】
2019139927.tif 000009
【図８】
2019139927.tif 000010
【図９】
2019139927.tif 000011